(57)【要約】【課題】組立てが容易で、且つリサイクル性に優れるパチンコ遊技機用枠体を提供する。【解決手段】アルミ製の上部材２、下部材３および縦部材４が、その端部を連結して組み立てられたパチンコ遊技機用枠体１において、下部材３と縦部材４が断面略コの字状のアルミ製部材５からなり、下部材３と縦部材４とは、下部材３の長さ方向端部に設けた切欠部３ａに縦部材４の断面方向端部４ａを嵌合して連結されているパチンコ遊技機用枠体。さらに前記上部材が断面略コの字状のアルミ製部材からなり、前記上部材と縦部材とは、一方のコの字内に他方を嵌合して連結されているパチンコ遊技機用枠体。【選択図】        図１
2005000430.tif 000002
【特許請求の範囲】
【請求項１】
アルミ製の上部材、下部材および縦部材が、その端部を連結して組み立てられたパチンコ遊技機用枠体において、前記下部材と縦部材が断面略コの字状のアルミ製部材からなり、前記下部材と縦部材とは、前記下部材の長さ方向端部に設けた切り欠き部に前記縦部材の断面方向端部を嵌合して連結されていることを特徴とするパチンコ遊技機用枠体。
【請求項２】
前記上部材が断面略コの字状のアルミ製部材からなり、前記上部材と縦部材とは、一方のコの字内に他方を嵌合して連結されていることを特徴とする請求項１記載のパチンコ遊技機用枠体。
【請求項３】
前記下部材と縦部材とが連結された部分が、アルミ製補強部材をかしめまたはアルミリベットにより取り付けて補強されていることを特徴とする請求項１記載のパチンコ遊技機用枠体。
【請求項４】
前記上部材と縦部材とが連結された部分が、アルミ製補強部材をかしめまたはアルミリベットにより取り付けて補強されていることを特徴とする請求項２記載のパチンコ遊技機用枠体。
【請求項５】
前記枠体に、前記パチンコ遊技機の前枠を係止するための係止片が切り起こしにより設けられていることを特徴とする請求項１乃至４のいずれかに記載のパチンコ遊技機用枠体。
【請求項６】
前記下部材の内面にパチンコ玉を排出するための傾斜部が設けられていることを特徴とする請求項１乃至５のいずれかに記載のパチンコ遊技機用枠体。
【発明の詳細な説明】
【０００１】
【発明の属する技術分野】
本発明は、組立てが容易で、且つリサイクル性に優れるパチンコ遊技機用枠体に関する。
【０００２】
【従来の技術】
パチンコ遊技機は、遊戯盤を備えた前枠と、前記前枠を固定し、また玉の排出機能を備えた枠体とを主要部とし、前記前枠を前記枠体に蝶番を介して開閉自在に取付けて構成されている。そして前記枠体は、従来、木製であったが、近年、強度やリサイクル性を考慮して金属製、特にアルミ製のものが提案されるようになった。
【０００３】
アルミ製のパチンコ遊技機用枠体としては、構成部材全てをアルミ製としたもの（例えば特許文献１）、アルミ鋳物を用いたもの（例えば特許文献２〜７）、アルミ製の押出形材と補強部材からなるもの（例えば特許文献８〜１０）などが提案されている。
しかし、前記アルミ鋳物を用いたものは重いため取扱い難く組立て性に劣り、前記アルミ製補強部材を用いたものは、ネジを基本としており、鉄製ネジを使用した場合はリサイクル時の分別に手間が掛かるという問題がある。
【０００４】
【特許文献１】特開平８−１４１１７７号公報
【特許文献２】特開２００２−１２６２９５
【特許文献３】特開２００２−１２６２９７
【特許文献４】特開２００２−３３１１３２
【特許文献５】特開２００３−３３５２７
【特許文献６】特開２００３−５２９８４
【特許文献７】特開２００３−７１０６８
【特許文献８】特開２００２−１４３４８８
【特許文献９】特開２００２−１４３４８９
【特許文献１０】特開２００２−１５３６５１
【０００５】
【発明が解決しようとする課題】
本発明は、組立てが容易で且つリサイクル性に優れるパチンコ遊技機用枠体を提供することを目的とする。
【０００６】
【課題を解決するための手段】
請求項１記載発明は、アルミ製の上部材、下部材および縦部材が、その端部を連結して組み立てられたパチンコ遊技機用枠体において、前記下部材と縦部材が断面略コの字状のアルミ製部材からなり、前記下部材と縦部材とは、前記下部材の長さ方向端部に設けた切り欠き部に前記縦部材の断面方向端部を嵌合して連結されていることを特徴とするパチンコ遊技機用枠体である。
【０００７】
請求項２記載発明は、前記上部材が断面略コの字状のアルミ製部材からなり、前記上部材と縦部材とは、一方のコの字内に他方を嵌合して連結されていることを特徴とする請求項１記載のパチンコ遊技機用枠体である。
【０００８】
請求項３記載発明は、前記下部材と縦部材とが連結された部分が、アルミ製補強部材をかしめまたはアルミリベットにより取り付けて補強されていることを特徴とする請求項１記載のパチンコ遊技機用枠体である。
【０００９】
請求項４記載発明は、前記上部材と縦部材とが連結された部分が、アルミ製補強部材をかしめまたはアルミリベットにより取り付けて補強されていることを特徴とする請求項２記載のパチンコ遊技機用枠体である。
【００１０】
請求項５記載発明は、前記枠体に、前記パチンコ遊技機の前枠を係止するための係止片が切り起こしにより設けられていることを特徴とする請求項１乃至４のいずれかに記載のパチンコ遊技機用枠体である。
【００１１】
請求項６記載発明は、前記下部材の内面にパチンコ玉を排出するための傾斜部が設けられていることを特徴とする請求項１乃至５のいずれかに記載のパチンコ遊技機用枠体である。
【００１２】
【発明の実施の形態】
以下に、本発明を図を参照して具体的に説明する。なお、本発明を説明するための全図において、重複する符号はその説明を省略する。
図１は本発明の枠体の実施形態を示す斜視説明図である。
この枠体１は、アルミ製の上部材２、下部材３および縦部材４が、その端部同士を連結して組み立てられたものであり、下部材３と縦部材４は断面略コの字状のアルミ製部材５からなり、下部材３と縦部材４は、図２に示すように、下部材３の長さ方向端部に設けた切欠部３ａに縦部材４の断面方向端部４ａを嵌合して連結されている。
【００１３】
ここで、切欠部３ａの形状は縦部材４の断面方向端部４ａの形状と相似形にするのが連結が強固になされ望ましい。切欠部３ａはプレス打抜きなどにより容易に形成できる。アルミ製部材５には板材を折り曲げ加工したもの或いは押出加工したもの（押出形材）などが使用できるが、特に押出形材は生産性に優れ推奨される。
【００１４】
枠体１の上部材２と縦部材４とは、図３に示すように、上部材２のコの字内２ａに縦部材４を嵌合して連結されている。
【００１５】
図１〜３に示した実施形態では、特別な継ぎ手を用いずに両部材を連結することが可能で組み立てが容易に行える。
【００１６】
本発明において、下部材３と縦部材４とが連結された部分６は、図４に示すように、アルミ製補強部材（Ｌ字状部材）７を下部材３および縦部材４にアルミリベット（図示せず）により取付けて補強するのが望ましい。前記補強部材７には、縦断面が直角三角形の板材或いはブロック材なども使用できるが、特にＬ字状部材が軽量かつ取付け易く望ましい。アルミ製補強部材７は機械的かしめに依っても取付ることができる。機械的かしめには信頼性の高いかしめ方法の選択が望まれる。アルミ製補強部材７の取付けには、当然、ＴＩＧ溶接やスポット溶接なども適用できる。
【００１７】
図１において、８は前枠を係止するための係止片であり、係止片８は縦部材４の内面の一部を切り起こして設けるのが余分な部品を要さず望ましい。
【００１８】
本発明において、下部材３の内面には、図５（図２）に示すように、パチンコ玉を排出するための傾斜部９を設ける。傾斜部９の厚みは厚いところで３ｍｍ程度、薄いところで２ｍｍ程度とする。傾斜部９を有する下部材３には押出形材を用いるのが生産性の点で望ましい。傾斜部９は図２にも示されている。
【００１９】
図１において、１０は前枠（遊戯盤）を枠体１に取付けるための蝶番である。１０ａは蝶番の回転軸となるピンである。
【００２０】
本発明では蝶番もリサイクルの点でアルミ合金製とする。蝶番の合金材料や製造方法は強度や寸法などを勘案して決定する。蝶番は、例えば、断面Ｌ字状のアルミ製部材を所定形状にプレス切断、これにピン部を溶接などにより接合して形成する。蝶番の枠体への取付けは、ＴＩＧ溶接やスポット溶接などの溶接法で枠部材に直接接合することができるが、機械的かしめやアルミ製リベットによる接合が信頼性の点で望ましい。
【００２１】
本発明で用いるアルミ製部材には適度の強度を有し、かつ加工性に優れるＡ６０６３合金、Ａ６０６１合金、Ａ３００３合金、Ａ５０５２合金などが適している。特にＡ６０６３合金は押出加工性に好適である。Ａ６０６３合金などは蝶番などにも適している。
【００２２】
本発明の枠体は、例えば、縦部材４の下部に下部材３を嵌合し、縦部材４の上端を上部材２のアルミ製部材のコの字内２ａに嵌合し、必要に応じて連結部にアルミ製補強部材を取付けて形成される（図１参照）。
【００２３】
図４において、１１は枠体をパチンコホールの遊戯台に取付けるための取付け穴でプレス打抜きなどにより形成する。図１、４において１２は前枠を固定するためのストッパで、これも係止片８の場合と同様に切り起こしにより形成するのが望ましい。
【００２４】
【発明の効果】
本発明のパチンコ遊技機用枠体は、下部材および縦部材に断面略コの字状のアルミ製部材を用い、両端部を相互に嵌合して形成したものなので組立てが容易に行える。上部材にも断面略コの字状のアルミ製部材を用い、上部材のコの字内に縦部材の端部を嵌合して連結するようにすれば組立てはさらに容易に行える。前記連結部分はアルミ製補強部材を取付けることにより容易に補強できる。本発明の枠体は全てアルミ部材で形成されているので、分解作業や分別作業を要さずにそのままリサイクルすることが可能である。
【図面の簡単な説明】
【図１】本発明のパチンコ遊技機用枠体の実施形態を示す斜視説明図である。
【図２】縦部材と下部材の連結部の斜視説明図である。
【図３】縦部材と上部材の連結部の斜視説明図である。
【図４】下部材部分の説明図である。
【図５】下部材に設けた傾斜部の説明図である。
【符号の説明】
１    枠体
２    上部材
２ａ  上部材のコの字内
３    下部材
３ａ  下部材の長さ方向端部に設けた切欠部
４    縦部材
４ａ  縦部材の断面方向端部
５    断面略コの字状のアルミ製部材
６    連結部分
７    アルミ製補強部材
８    係止片
９    傾斜部
１０    蝶番
１０ａ  ピン
１１    取付け穴
１２    ストッパ
【図１】
2005000430.tif 000003
【図２】
2005000430.tif 000004
【図３】
2005000430.tif 000005
【図４】
2005000430.tif 000006
【図５】
2005000430.tif 000007